【事件の表示】
　特許第３２７９１５５号「画像形成装置」の請求項１ないし１１に係る特許に対する特許異議の申立てについて、次のとおり決定する。
【結　論】
　訂正を認める。
　特許第３２７９１５５号の請求項１ないし６に係る特許を維持する。
【理　由】
１．手続の経緯
　特許第３，２７９，１５５号の請求項１ないし１１に係る発明は、平成７年１２月１日に特許出願され、平成１４年２月２２日にその特許権の設定登録がなされ、その後、石政典子より特許異議の申立てがなされ、取消の理由が通知され、その指定期間内である平成１５年５月２３日に特許異議意見書の提出とともに訂正請求がなされ（平成１５年８月４日に取り下げ。）、その後、再度の取消の理由が通知され、その指定期間内である平成１５年８月４日に特許異議意見書の提出とともに訂正請求がなされたものである。
　
２．訂正の適否についての判断
（１）訂正の内容
（１−１）訂正事項ａ
　特許査定時の明細書の特許請求の範囲に、
「【請求項１】　並設された複数の像担持体と、該複数の像担持体上に個々に所定の色のトナー像を形成する複数のトナー像形成手段と、外周面に転写材を吸着して前記複数の像担持体の少なくとも一つの像担持体に前記転写材を接触させるべく循環移動する搬送ベルトと、該搬送ベルトの内側に前記複数の像担持体と対応させて転写部を構成すべく配設され像担持体に接触中の転写材にトナー像を転写するために所定極性の転写バイアス電圧が印加される複数の転写手段と、前記複数の転写部の並設方向両端部の転写部よりも外側に配設され前記搬送ベルトが掛け渡される第１及び第２の回転ローラと、前記搬送ベルトを介して前記第１の回転ローラを押圧すべく配設され転写材を前記搬送ベルトとで挟持搬送するとともに転写材の前記搬送ベルトへの吸着を補助する吸着補助ローラとを備えた画像形成装置において、
　前記吸着補助ローラは、該吸着補助ローラの中心と前記第１回転ローラの中心とを結ぶ線と、前記吸着補助ローラの前記搬送ベルトとの接触部から前記搬送ベルトが前記第２回転ローラ方向へ向かう線との交差角度を、９０゜よりも小さな角度となるように、前記搬送ベルトを介して前記第１回転ローラを押圧することを特徴とする画像形成装置。
【請求項２】　前記吸着補助ローラに、吸着バイアス電圧を印加する吸着バイアス電圧印加手段を更に備えることを特徴とする請求項１記載の画像形成装置。
【請求項３】　前記吸着バイアス電圧印加手段は、前記転写バイアス電圧と同極性の電圧を前記吸着補助ローラに印加することを特徴とする請求項２記載の画像形成装置。
【請求項４】　前記第２回転ローラに最も近い像担持体に対応するトナー像形成手段は、前記像担持体に黒色トナー像を形成し、他の像担持体に対応するトナー像形成手段は有彩色トナー像を形成することを特徴とする請求項１、２又は３記載の画像形成装置。
【請求項５】　前記第１及び第２の回転ローラは、前記転写材が前記第１回転ローラ側から前記第２回転ローラ側へ搬送される間に前記転写材にトナー像が転写されるように前記搬送ベルトを移動させるべく回転する請求項1、２、３又は４記載の画像形成装置。
【請求項６】　並設された複数の像担持体と、該複数の像担持体上に個々に所定の色のトナー像を形成する複数のトナー像形成手段と、外周面に転写材を吸着して前記複数の像担持体の少なくとも一つの像担持体に前記転写材を接触させるべく循環移動する搬送ベルトと、該搬送ベルトの内側に前記複数の像担持体と対応させて転写部を構成すべく配設され像担持体に接触中の転写材にトナー像を転写するために所定極性の転写バイアス電圧が印加される複数の転写手段と、前記複数の転写部の並設方向両端部の転写部よりも外側に配設され前記搬送ベルトが掛け渡される第１及び第２の回転ローラと、前記搬送ベルトを介して前記第１の回転ローラを常時押圧すべく配設され転写材を前記搬送ベルトとで挟持搬送するとともに転写材の前記搬送ベルトへの吸着を補助する吸着補助ローラとを備えた画像形成装置において、
　前記第１回転ローラと該第１回転ローラに最も近い転写手段との間に位置し、前記搬送ベルトの内周面に当接して前記搬送ベルト面に交差する方向に該搬送ベルトを移動させる可動支持部材を備え、該可動支持部材の移動に基いて
　前記第２回転ローラに最も近い像担持体に対しては転写材を常時同一姿勢で接触させるべく前記搬送ベルトを転写可能位置に保持し、他の像担持体に対しては前記搬送ベルトを転写可能位置あるいは転写材を非接触とすべく像担持体から離隔させた転写不能位置とに移動させるベルト移動手段と、
　該ベルト移動手段を選択的に移動制御する制御手段と、を備え、前記吸着補助ローラは、該吸着補助ローラの中心と前記第１回転ローラの中心とを結ぶ線と、前記吸着補助ローラの前記搬送ベルトとの接触部から前記搬送ベルトが前記第２回転ローラ方向へ向かう線との交差角度を、前記制御手段による前記ベルト移動手段の移動制御に拘らず９０゜を超えない角度となるように、前記搬送ベルトを介して前記第１回転ローラを押圧するとともに前記ベルト移動手段の移動範囲を設定したことを特徴とする画像形成装置。
【請求項７】　前記吸着補助ローラに、吸着バイアス電圧を印加する吸着バイアス電圧印加手段を更に備えることを特徴とする請求項６記載の画像形成装置。
【請求項８】　前記吸着バイアス電圧印加手段は、前記転写バイアス電圧と同極性の電圧を前記吸着補助ローラに印加することを特徴とする請求項７記載の画像形成装置。
【請求項９】　前記吸着バイアス電圧印加手段は、前記吸着補助ローラへの吸着バイアス電圧の印加を、前記制御手段による前記ベルト移動手段の転写不能位置への移動制御に応じて行うことを特徴とする請求項７又は８記載の画像形成装置。
【請求項１０】　前記第２回転ローラに最も近い像担持体に対応するトナー像形成手段は、前記像担持体に黒色トナー像を形成し、他の像担持体に対応するトナー像形成手段は有彩色トナー像を形成することを特徴とする請求項６、７、８又は９記載の画像形成装置。
【請求項１１】　前記第１及び第２の回転ローラは、前記転写材が前記第１回転ローラ側から前記第２回転ローラ側へ搬送される間に前記転写材にトナー像が転写されるように前記搬送ベルトを移動させるべく回転する請求項６、７、８、９又は１０記載の画像形成装置。」
とあるのを、
「【請求項１】　並設された複数の像担持体と、該複数の像担持体上に個々に所定の色のトナー像を形成する複数のトナー像形成手段と、外周面に転写材を吸着して前記複数の像担持体の少なくとも一つの像担持体に前記転写材を接触させるべく循環移動する搬送ベルトと、該搬送ベルトの内側に前記複数の像担持体と対応させて転写部を構成すべく配設され像担持体に接触中の転写材にトナー像を転写するために所定極性の転写バイアス電圧が印加される複数の転写手段と、前記複数の転写部の並設方向両端部の転写部よりも外側に配設され前記搬送ベルトが掛け渡される第１及び第２の回転ローラと、前記搬送ベルトを介して前記第１の回転ローラを常時押圧すべく配設され転写材を前記搬送ベルトとで挟持搬送するとともに転写材の前記搬送ベルトへの吸着を補助する吸着補助ローラとを備えた画像形成装置において、
　前記第１回転ローラと該第１回転ローラに最も近い転写手段との間に位置し、前記搬送ベルトの内周面に当接して前記搬送ベルト面に交差する方向に該搬送ベルトを移動させる可動支持部材を備え、該可動支持部材の移動に基いて前記第２回転ローラに最も近い像担持体に対しては転写材を常時同一姿勢で接触させるべく前記搬送ベルトを転写可能位置に保持し、他の像担持体に対しては前記搬送ベルトを転写可能位置あるいは転写材を非接触とすべく像担持体から離隔させた転写不能位置とに移動させるベルト移動手段と、
　該ベルト移動手段を選択的に移動制御する制御手段と、
を備え、
　前記吸着補助ローラは、該吸着補助ローラの中心と前記第１回転ローラの中心とを結ぶ線と、前記吸着補助ローラの前記搬送ベルトとの接触部から前記搬送ベルトが前記第２回転ローラ方向へ向かう線との交差角度を、前記制御手段による前記ベルト移動手段の移動制御に拘らず９０゜を超えない角度となるように、前記搬送ベルトを介して前記第１回転ローラを押圧すべく配設されるとともに前記ベルト移動手段の移動範囲を設定したことを特徴とする画像形成装置。
　【請求項２】　前記吸着補助ローラに、吸着バイアス電圧を印加する吸着バイアス電圧印加手段を更に備えることを特徴とする請求項１記載の画像形成装置。
　【請求項３】　前記吸着バイアス電圧印加手段は、前記転写バイアス電圧と同極性の電圧を前記吸着補助ローラに印加することを特徴とする請求項２記載の画像形成装置。
　【請求項４】　前記吸着バイアス電圧印加手段は、前記吸着補助ローラへの吸着バイアス電圧の印加を、前記制御手段による前記ベルト移動手段の転写不能位置への移動制御に応じて行うことを特徴とする請求項２又は３記載の画像形成装置。
　【請求項５】　前記第２回転ローラに最も近い像担持体に対応するトナー像形成手段は、前記像担持体に黒色トナー像を形成し、他の像担持体に対応するトナー像形成手段は有彩色トナー像を形成することを特徴とする請求項１、２、３又は４記載の画像形成装置。
　【請求項６】　前記第１及び第２の回転ローラは、前記転写材が前記第１回転ローラ側から前記第２回転ローラ側へ搬送される間に前記転写材にトナー像が転写されるように前記搬送ベルトを移動させるべく回転する請求項１、２、３、４又は５記載の画像形成装置。」
と訂正する。
　
（１−２）訂正事項ｂ
　特許査定時の明細書の発明の詳細な説明の段落【００１５】を
「【００１５】
　　【課題を解決するための手段】
　以下に、本発明に係わる画像形成装置の構成を述べる。」
と訂正する。
（１−３）訂正事項ｃ
　同じく発明の詳細な説明の段落【００１６】を削除する。
（１−４）訂正事項ｄ
　同じく発明の詳細な説明の段落【００１７】を
「【００１７】
　本発明は、並設された複数の像担持体と、該複数の像担持体上に個々に所定の色のトナー像を形成する複数のトナー像形成手段と、外周面に転写材を吸着して前記複数の像担持体の少なくとも一つの像担持体に前記転写材を接触させるべく循環移動する搬送ベルトと、該搬送ベルトの内側に前記複数の像担持体と対応させて転写部を構成すべく配設され像担持体に接触中の転写材にトナー像を転写するために所定極性の転写バイアス電圧が印加される複数の転写手段と、前記複数の転写部の並設方向両端部の転写部よりも外側に配設され前記搬送ベルトが掛け渡される第１及び第２の回転ローラと、前記搬送ベルトを介して前記第１の回転ローラを押圧すべく配設され転写材を前記搬送ベルトとで挟持搬送するとともに転写材の前記搬送ベルトへの吸着を補助する吸着補助ローラとを備えた画像形成装置を前提とする。」
と訂正する。
（１−５）訂正事項ｅ
　同じく発明の詳細な説明の段落【００１８】を
「【００１８】
　本発明の画像形成装置において、前記第１回転ローラと該第１回転ローラに最も近い転写手段との間に位置し、前記搬送ベルトの内周面に当接して前記搬送ベルト面に交差する方向に該搬送ベルトを移動させる可動支持部材を備え、該可動支持部材の移動に基いて前記第２回転ローラに最も近い像担持体に対しては転写材を常時同一姿勢で接触させるべく前記搬送ベルトを転写可能位置に保持し、他の像担持体に対しては前記搬送ベルトを転写可能位置あるいは転写材を非接触とすべく像担持体から離隔させた転写不能位置とに移動させるベルト移動手段と、該ベルト移動手段を選択的に移動制御する制御手段と、を備え、前記吸着補助ローラは、該吸着補助ローラの中心と前記第１回転ローラの中心とを結ぶ線と、前記吸着補助ローラの前記搬送ベルトとの接触部から前記搬送ベルトが前記第２回転ローラ方向へ向かう線との交差角度を、前記制御手段による前記ベルト移動手段の移動制御に拘らず９０゜を超えない角度となるように、前記搬送ベルトを介して前記第１回転ローラを押圧すべく配設されるとともに前記ベルト移動手段の移動範囲を設定するように構成される。」
（１−６）訂正事項ｆ
　同じく発明の詳細な説明の段落【００１９】を
「【００１９】
　そして、例えば請求項２記載のように、前記吸着補助ローラに、吸着バイアス電圧を印加する吸着バイアス電圧印加手段を更に備えて構成してもよい。前記吸着バイアス電圧印加手段は、例えば請求項３記載のように、前記転写バイアス電圧と同極性の電圧を前記吸着補助ローラに印加するように構成する。また、前記吸着バイアス電圧印加手段は、例えば請求項４記載のように、前記吸着補助ローラへの吸着バイアス電圧の印加を、前記制御手段による前記ベルト移動手段の転写不能位置への移動制御に応じて行うようにする。
　また、いずれの場合も、例えば請求項５記載のように、前記第２回転ローラにもっとも近い像担持体に対応するトナー像形成手段は、前記像担持体に黒色トナー像を形成し、他の像担持体に対応するトナー像形成手段は有彩色トナー像を形成するように構成する。また、前記第１及び第２の回転ローラは、例えば請求項６記載のように、前記転写材が前記第１回転ローラ側から前記第２回転ローラ側へ搬送される間に前記転写材にトナー像が転写されるように前記搬送ベルトを移動させるべく回転するように構成する。」
と訂正する。
　
（２）訂正の目的の適否、新規事項の有無および拡張・変更の存否
　訂正事項ａについては、請求項１ないし５を削除するとともに、請求項６ないし１１の項番を繰り上げ、さらに旧請求項６のベルト移動手段について、「第１回転ローラと該第１回転ローラに最も近い転写手段との間に位置し、前記搬送ベルトの内周面に当接して前記搬送ベルト面に交差する方向に該搬送ベルトを移動させる可動支持部材を備え、該可動支持部材の移動に基いて」と、ベルトを移動させるための具体的な構成である可動支持部材を備えていることを限定するとともに、吸着補助ローラについて「前記搬送ベルトを介して前記第１回転ローラを押圧すべく配設される」と構成を明りょうにするものであり、訂正事項ａは特許請求の範囲の減縮および明りょうでない記載の釈明を目的とするものである。
　訂正事項ｂ〜ｆは、いずれも特許請求の範囲の訂正に基づいて発明の詳細な説明の記載をそれに整合させるための訂正であり、明りょうでない記載の釈明を目的とするものである。
　そして、訂正事項ａ〜ｆは、いずれも新規事項の追加には該当しないし、特許請求の範囲を実質的に拡張したり、変更したりするものではない。
　
（３）むすび
　以上のとおりであるから、上記訂正は、特許法第１２０条の４第２項および同条第３項において準用する特許法第１２６条第２項及び第３項の規定に適合するので、当該適正を認める。
　
３．特許異議の申立てについての判断
（１）本件発明
　上記２．で示したように上記訂正が認められるから、本件の請求項１ないし６に係る発明は、上記訂正請求に係る訂正明細書の特許請求の範囲の請求項１ないし６に記載された事項により特定されるとおりのものである。以下、それぞれ「本件発明１」、「本件発明２」、「本件発明３」、「本件発明４」、「本件発明５」、「本件発明６」という。
　
（２）刊行物１〜５記載の発明
［刊行物１：特開昭６２−２９９３７１号公報］
　第１図や第２図には、回転体１９（押圧ローラ）が、回転体１９の中心とベルト支持ローラ１６ａの中心とを結ぶ線と、回転体１９の搬送ベルト１５との接触部から搬送ベルト１５がベルト支持ローラ１６ｂ方向へ向かう線との交差角度を、９０゜を超えない角度となるように、搬送ベルト１５を介してベルト支持ローラ１６ａを押圧すべく配設されている構造が図示されている。
［刊行物２：実願昭５９−１５７２９号（実開昭６０−１２８３５９号）のマイクロフィルム］
　図面には、被転写材押さえローラ５が、被転写材押さえローラ５の中心と第１回転ローラの中心とを結ぶ線と、被転写材押さえローラ５の転写ベルト３との接触部から転写ベルト３が第２回転ローラ方向へ向かう線との交差角度を、９０゜を超えない角度となるように、転写ベルト３を介して第１回転ローラを押圧すべく配設されているように見える構造が記載されている。
［刊行物３：特開平７−１９９５９０号公報］
・吸着バイアスの極性は、第１及び第２の実施例のように、マイナスの電位に限定されるものではなく、紙とベルトの帯電により形成された電荷の静電気力により吸着を行なっているので、プラスの極性の電位を印加してもよい。（段落【００５９】）
・図４は、本発明の他の実施例に係る、ブラックのみの単色画像形成装置を示す概略図である。この画像形成装置では、転写ベルト１１の上流側が１０度下側に傾き、感光体１ａ、１ｂ、１ｃとは接触しなくなり、且つ、感光体１ａ、１ｂ、１ｃの動作は停止させる。即ち、用紙Ｐはレジストローラ２９により給紙され、吸着ローラ２４から吸着バイアスを印加されることにより帯電し、ベルト表面へ静電吸着する。そのままベルトにより感光体１ｄの転写部まで搬送され、転写バイアスが印加される直前に吸着バイアスを切る。その後実施例１と同様の画像形成プロセスにより感光体１ｄ上に現像されたトナー像を用紙Ｐ上に転写し、定着器３３にて定着される。用紙Ｐは、吸着ローラ２４での吸着と、転写部での吸着により、常に搬送ベルト上に吸着しているため、位置ズレを生じることはない。（段落【００５５】）
［刊行物４：特開平３−２８８１７３号公報］
　次に、第４の画像形成ステーション４を使用して指定色、例えば黒の単色画像を得る場合には、従動ローラ５３側のカム５４Ａを回動して転写ユニット５に対する上方への支持力を解除し、第２図に示すように黒の画像形成ステーション４に近い側の駆動ローラ５２の回転中心を中心として転写ユニット５を図示矢印Ｐで示す方向に回動させる。（第３頁右上欄第９行〜同欄第１６行参照）
［刊行物５：特開平６−５１６４８号公報］
　一方、記録材６を記録材担持シート８上に吸着保持するため、吸着用高圧印加ブラシ９０によって記録材担持シート８を帯電させ、記録材カセット６０から給紙される記録材６を記録材担持シート８上に静電吸着し、第４の画像形成部Ｐｄまで搬送して転写帯電手段４ｄの作用によって感光体ドラム１ｄ上に形成されたトナー像を記録材６上に転写させる。トナー像の転写後、前述したように、記録材６を分離し、定着部７で定着して所望の単色画像を得る。（段落【００６１】）
　
（３）対比・判断
　本件発明１を上記刊行物１及び刊行物２記載の発明と対比すると、特に、本件発明１が「第１回転ローラと該第１回転ローラに最も近い転写手段との間に位置し、前記搬送ベルトの内周面に当接して前記搬送ベルト面に交差する方向に該搬送ベルトを移動させる可動支持部材を備え、該可動支持部材の移動に基いて前記第２回転ローラに最も近い像担持体に対しては転写材を常時同一姿勢で接触させるべく前記搬送ベルトを転写可能位置に保持し、他の像担持体に対しては前記搬送ベルトを転写可能位置あるいは転写材を非接触とすべく像担持体から離隔させた転写不能位置とに移動させるベルト移動手段」を備えているのに対して、刊行物１及び刊行物２記載の発明はそもそもベルト移動手段について言及がない点で相違している。
　相違点について検討すると、ベルト移動手段については、刊行物３、刊行物４および刊行物５にも記載されているが、これらに記載のベルト移動手段は転写ユニット全体を移動させるものであり、本件発明１のように「第１回転ローラと該第１回転ローラに最も近い転写手段との間に位置し、前記搬送ベルトの内周面に当接して前記搬送ベルト面に交差する方向に該搬送ベルトを移動させる可動支持部材」によってベルトを移動させるものではない。
　また、このような可動支持部材によってベルトを移動させる点は、異議申立人が提出した他のいずれの証拠にも記載されていないし、示唆もされていない。
　そして、本件発明は上記相違点に基づいて「黒印字の時もフルカラー印字の時も必ず搬送転写ベルトに沿って用紙が搬送され、用紙の搬送姿勢が常に安定して良好な画像が得られる」等の明細書記載の作用効果を奏するものである。
　したがって、上記相違点は当業者が容易に考えつくことができた構成の変更であるとすることはできず、本件発明１が刊行物１ないし５記載の発明に基づいて、当業者が容易に発明をすることができたものであるとすることができない。
　
　本件発明２ないし６は、本件発明１をさらに限定するものであるから、同様に刊行物１ないし５記載の発明に基づいて、当業者が容易に発明をすることができたものであるとすることができない。
　
（４）むすび
　以上のとおりであるから、特許異議申立ての理由及び証拠によっては、本件発明１ないし６に係る特許を取り消すことができない。
　また、他に本件発明１ないし６についての特許を取り消すべき理由を発見しない。
　したがって、本件発明１ないし６についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年８月２５日（２００３．８．２５）
【訂正の要旨】
審決（決定）の【理由】欄参照。
（５４）【発明の名称】
画像形成装置
（５７）【特許請求の範囲】
　【請求項
１
　
前記第１回転ローラと該第１回転ローラに最も近い転写手段との間に位置し、前記搬送ベルトの内周面に当接して前記搬送ベルト面に交差する方向に該搬送ベルトを移動させる可動支持部材を備え、該可動支持部材の移動に基いて
　該ベルト移動手段を選択的に移動制御する制御手段と、
　を備え、
　前記吸着補助ローラは、該吸着補助ローラの中心と前記第１回転ローラの中心とを結ぶ線と、前記吸着補助ローラの前記搬送ベルトとの接触部から前記搬送ベルトが前記第２回転ローラ方向へ向かう線との交差角度を、前記制御手段による前記ベルト移動手段の移動制御に拘らず９０°を超えない角度となるように、前記搬送ベルトを介して前記第１回転ローラを押圧す
べく配設され
　【請求項
２
１
　【請求項
３
２
　【請求項
４
２
３
　【請求項
５
１、２、３
４
　【請求項
６
１、２、３、４
５
【発明の詳細な説明】
　【０００１】
　【発明の属する技術分野】
　本発明は、用紙搬送路に対して常に安定した用紙吸着を行う画像形成装置に関する。
　【０００２】
　【従来の技術】
　従来より、カラー画像形成装置がある。このカラー画像形成装置には大別して単一ドラム型と多段ドラム型（タンデム型）とがある。単一ドラム型は、用紙の１頁に対して、減法混色の三原色であるＹ（イエロー：黄色）トナー、Ｍ（マゼンタ：赤色染料）トナー及びＣ（シアン：緑味のある青色）トナーの各色トナーと、文字等の印字に専用されるＢｋ（ブラック：黒）トナーの合計４種類のトナーを重ねて転写するために各トナー毎に個別に印字（画像形成）処理を行うから、用紙１頁に対して印字工程が４回繰り返されることになり、したがって印字処理に長時間を要する。これに対して、タンデム型は、１工程で４種類のトナーを用紙に順次重ねて転写するものと、一旦中間転写体に順次重ねて転写した後、これを用紙に１度に再転写するものとがある。いずれも単一ドラム型に比較してほぼ４倍の処理速度を有している。このため、近年、内部装置が小型化され且つ組装置化（ユニット化）されて比較的安価になったこととも相俟って、様々のタンデム型構成のカラー画像形成装置が実用化されている。
　【０００３】
　図６（ａ）に、タンデム型カラー画像形成装置の一例を外観斜視図で示し、同図（ｂ）に、その側断面図を示す。このタンデム型カラー画像形成装置は、同図（ａ）に示すように、装置本体１の前面（図の右方）に開閉トレー２を備え、下部に用紙カセット３を着脱自在に備えている。また、上蓋４には、その上面に排紙トレー５が形成されており、そこには上部排紙口６から排出される画像形成済みの用紙が積載される。その上蓋４の前部側方には電源スイッチ７、液晶表示装置８、複数の入力キー９等が配設されている。
　【０００４】
　画像形成を行う場合は、同図（ｂ）に示すように、装置本体１内の用紙カセット３に載置収容された用紙Ｐを、給紙コロ１１が、その上方に配置されている待機部へ給送する。或は、サイズや質の異なる一枚乃至数枚の用紙に画像形成するときなどには、開閉トレー２を図の矢印Ａで示す装置前方へ回動させて開成し、更にその内側に折り畳まれていた補助トレー２ｂを図の矢印Ｂで示すように装置前方へ回動させて開成して、その上に用紙を載置し、給紙ローラ１２で待機部へ給送するようにする。待機部には、待機ロール対１３が配設されている。待機ロール対１３は、用紙カセット３又は開閉トレー２から給送される用紙を一旦停止させた後、画像形成タイミングに合わせて、図の破線で示す搬送路に沿って画像形成部へと搬送を開始する。
　【０００５】
　画像形成部は、用紙を搬送するベルト１４が２個の回転ローラ１５ａ及び１５ｂ間に張設され、このベルト搬送面に対向して４個の画像形成ユニット１６（１６−１、１６−２、１６−３、１６−４）が配設されて構成される。ベルト１４は図の矢印Ｃ及びＤで示す反時計回り方向に循環して回転する。画像形成ユニット１６は、帯電器、露光ヘッド、現像ローラ、転写器、クリーナ等がユニットフレーム内に組み付けられて構成され、ベルト１４の搬送方向へ直列多段式に並設されている。これら画像形成ユニット組み付けの諸装置は、画像形成ユニット１６が図のように装置本体に装着されたとき感光体ドラム１７を中心に配置されるようになっている。この画像形成部の用紙搬送方向下流には、定着器１８、排紙コロ１９、後部排紙口２１が設けられる。
　【０００６】
　上記搬送されてくる用紙は、画像形成部で４個の感光体ドラム１７から各色毎にトナー像を順次転写され、定着部１８でトナー像を定着され、排紙コロ１９によって図の破線矢印Ｅで示すように後部排紙口２１から機外に排出される。または、不図示の切り換えレバー等により排出路を上方に切り換えられ、排紙ローラ２２により図の破線矢印Ｆで示すように、上蓋４上の排紙トレー５に排出される。
　【０００７】
　ところで、印字（画像形成）画素（１ドット）の密度は通常の解像度のもので１インチ当たり３００〜４００ドット（１ミリメートル当たり１２〜１６ドット）であるが、４色の重ね合わせが１ドット程度でも位置ずれを起こすと、画像にモアレ縞等の紋様が発生して画像の品質が大幅に低下する。したがって、ベルト１４で搬送される用紙が４個の感光体ドラム１７から各色毎にトナー像を順次転写される間は、ベルト１４上に確実に保持されて安定した状態を保っている必要がある。このための技術として、一般に図６（ｂ）に示したベルト１４と類似構成のベルトの用紙搬送方向上流側に設けられる用紙押えローラを傾けて配設すると共に、用紙押えローラにバイアス電圧を印加するものが提案されている（特開平７−１９９５９０の第１実施例を参照）。
　【０００８】
　図７（ａ）は、その方式を説明する模式図である。同図（ａ）に示すように、この方式は、２個の回転ローラ２３及び２４間に付勢ローラ２５により張設されて図の矢印Ｅ及びＦで示す反時計回り方向に循環移動する絶縁性の搬送ベルト２６を備え、搬送方向上流の回転ローラ２４に対し、用紙押えローラ３２を、両ローラの中心を結ぶ線（図の破線３５）と水平線３６とがなす角度θが６０〜８０度の範囲で上流側に傾斜するような配置で設け、用紙押えローラ３２にバイアス電源３７から吸着バイアスを印加するようにしたものである。このようにすると、搬送ベルト２６への用紙押えローラ３２と回転ローラ２４の電界形成点が近接し、用紙Ｐが搬送ベルト２６により良く吸着するというものである。そして、画像形成を行うときは、搬送ベルト２６は、４個の画像形成ユニットの各感光体ドラム２７ａ、２７ｂ、２７ｃ、及び２７ｄに夫々接して用紙Ｐを搬送する。感光体ドラム２７ａ、２７ｂ、２７ｃ、及び２７ｄは、夫々Ｙ（イエロー）、Ｍ（マゼンタ）、Ｃ（シアン）及びＢｋ（ブラック）のトナー像を担持する。用紙Ｐは、給紙カセット等からなる用紙容器２８から給紙ローラ２９によって一枚毎に取り出され、待機ロール対３１により画像形成タイミングに合わせて画像形成部に給送され、用紙押さえローラ３２により搬送ベルト２６側に吸着され、コロナ帯電器３３ａ、３３ｂ、３３ｃ及び３３ｄによって感光体ドラム２７ａ、２７ｂ、２７ｃ及び２７ｄの各周面上に形成されているトナー像を紙面に順次転写されて各色毎のトナー像を重ねられ、定着部３４によってトナー像を紙面に熱定着される構成となっている。
　【０００９】
　尚、同図（ｂ）は、上記提案の第２実施例であり、黒一色印字を行うために、搬送ベルト２６の上流側の回転ローラ２４を下方へ移動させ、下流側の回転ローラ２３を上方へ移動させて搬送ベルト２６全体を傾け、搬送ベルト２６（つまりこれに搬送される用紙Ｐ）が、トナー像を担持する感光体ドラム２７ｄのみに当接するようにし、残る他の感光体ドラム２７ａ、２７ｂ、及び２７ｃからは離隔するようにしたものである。
　【００１０】
　【発明が解決しようとする課題】
　しかしながら、上述の構成は、用紙押えローラが上流側回転ローラに対して上流側に傾いているために、確かに搬送ベルトへの電界の強化には寄与しているものの、他方では、用紙の剛性により搬送ベルトから離隔する方向に用紙を誘導する欠点を有している。
　【００１１】
　図８（ａ），（ｂ）は、図７（ａ），（ｂ）に示した画像形成部の上流側の構成を拡大して示したものである。同図（ａ）に示すように、上述した回転ローラ２４の中心と用紙押さえローラ３２の中心を結ぶ線（図の破線３５）が水平線３６に対して６０度乃至８０度の角度θをもって用紙押さえローラ３２が上流側に傾いて配設されている場合、これらローラの用紙挟持点（圧接点）から画像形成部（図の左方）へ送り出される用紙の向く方向は、回転ローラ２４の中心と用紙押さえローラ３２の中心を結ぶ線（図の破線３５）に対して直角な図の破線３８で示す斜め左上方向である。したがって、折角バイアス電圧の作用位置を工夫して用紙を搬送ベルト２６により良く吸着させるように構成したものであるとしても、一方で搬送ベルト上に用紙を送り出す方向が、上述した破線３８で示すように搬送ベルトから離隔する方向であるから、バイアス電圧の吸着力に抗して図の破線矢印３９で示すように用紙が搬送ベルト２６から浮き上がって搬送される虞が多分にある。このように用紙が浮き上がったまま転写部に搬入されると吸着が不安定になって印字位置がずれたり、用紙先端が各所に引っ掛かって用紙ジャムを引き起こすという問題が発生する。このことは、同図（ｂ）に示す黒一色印字のために搬送ベルト２６の上流側を下方、下流側を上方へ移動させた場合も同様である。この場合は、黒トナー像の転写部までの搬送距離が長いから、図の破線矢印３９´で示すように浮き上がった用紙は一層不安定な状態になってページによって印字位置が不同となり、又、容易にジャムを発生させる。
　【００１２】
　このように搬送ベルトへの用紙の吸着が不安定であるために、上述の構成では搬送ベルトに誘電体ベルトを使用して用紙を強く吸着するようにしており、さらに、この搬送ベルトの誘電性のために生じる環境変動等による系の負荷変動に対して十分な転写性を得るべく転写器にはコロナ放電器を用いている。
　【００１３】
　しかしながら、コロナ放電器は比較的大きな電流を必要とし、このため電源が大型化するという問題を有している。特に処理速度を上げた場合はコロナ放電によるオゾンの発生量が増加するため、これを除去する処理装置が必要となって、装置の一層の大型化とコストの増大を招くという問題を有している。さらに、この構成は誘電体ベルトと用紙とが強く帯電することから、その吸着力が強くなり過ぎ、したがって画像形成済みの用紙を誘電体ベルトから引き離す際に用紙や誘電体ベルトを強制的に除電するための特別な装置が必要となってますます装置の大型化と価格の上昇を招くという問題を有している。
　【００１４】
　本発明の課題は、用紙の搬送状態が常に安定しており、それでいて有害なオゾンを発生することなく搬送ベルトの除電も容易であって全体として小型な画像形成装置を提供することである。
　【００１５】
　【課題を解決するための手段】
　以下に、本発明に係わる画像形成装置の構成を述べる
。
　【００１６】
　【００１７】
　
本
　【００１８】
　
本
前記第１回転ローラと該第１回転ローラに最も近い転写手段との間に位置し、前記搬送ベルトの内周面に当接して前記搬送ベルト面に交差する方向に該搬送ベルトを移動させる可動支持部材を備え、該可動支持部材の移動に基いて
べく配設され
　【００１９】
　そして、例えば請求項
２
３
４
　また、いずれの場合も、例えば請求項
５
６
　【００２０】
　【発明の実施の形態】
　以下、本発明の実施の形態を図面を参照しながら説明する。
　図１（ａ）は、一実施の形態における画像形成装置の主要部（画像形成部）の断面図であり、フルカラー印字（記録）を行う場合の状態を示している。同図（ｂ）は、その用紙搬入部の拡大図である。
　【００２１】
　図（ａ）に示すように、画像形成部は、同図の一点鎖線で示す直列多段式に並設された詳しくは後述する４個の感光体ドラム（像担持体）４１ａ、４１ｂ、４１ｃ及び４２を備えている。これらの感光体ドラム４１ａ、４１ｂ、４１ｃ及び４２は、金属ローラの表面を一様に覆った例えばＯＰＣのような有機光導体、あるいは、Ｓｅやａ−Ｓｉのような無機光導電体で構成される。感光体ドラム４１（４１ａ、４１ｂ、４１ｃ）及び４２は、それぞれ個々にその周表面に静電潜像に従って現像された所定の色トナー像を担持して回転する。
　【００２２】
　これらの感光体ドラム４１及び４２に対向して、これら感光体ドラム４１及び４２の図の矢印Ｈで示す並設方向に循環移動する搬送転写ベルト４３が配設される。搬送転写ベルト４３は、フッ素樹脂（テトラフルオロエチレン共重合体（ＥＴＦＥ））にカーボンブラックを添加して抵抗調整することにより、１０１１〜１０１４Ω・ｃｍの体積固有抵抗を持たせた厚さ１５０μｍのフィルム状部材で構成される。この搬送転写ベルト４３は、水平方向に偏平なループ状に配置され、上循環部の外周面に用紙（転写材）を吸着して上記感光体ドラム４１ａ、４１ｂ、４１ｃ及び４２の少なくとも一つの感光体ドラム４２又はこの感光体４２と他の感光体ドラム４１ａ、４１ｂ及び４１ｃに用紙を接触させるべく循環移動する。これにより、用紙は搬送転写ベルト４３により転写位置まで搬送され、感光体ドラム４１及び４２上のトナー像を転写される。尚、この搬送転写ベルト４３の体積固有抵抗が１０１１Ω・ｃｍよりも低いと、用紙Ｐが搬送転写ベルト４３に静電吸着しにくくなる。これは電荷が搬送転写ベルト４３の背面にとどまり切らないためと考えられる。
　【００２３】
　この搬送転写ベルト４３の内側に当接し、４個の感光体ドラム４１ａ、４１ｂ、４１ｃ及び４２と対応して転写ブラシ４４（４４ａ、４４ｂ、４４ｃ、４４ｄ）が並設される。これら転写ブラシ４４（転写手段）は、導電性のレーヨン、ナイロン、又はアクリル等を繊維素材としてパイル状に織った織物を、ブラシ状に形成して金属又はプラスチックの基体に取り付けて構成される。これら転写ブラシ４４には、特には図示しないが、正極性の定電流を出力する転写用電源が接続されている。この転写ブラシ４４に流す電流は搬送転写ベルト４３の送り速度や幅により異なるが通常数μＡで十分であることが実験上において判明している。これら転写ブラシ４４は、感光体ドラム４１及び４２と対向し、これら感光体ドラムとにより搬送転写ベルト４３を挟み込むように配置されてここに転写部を形成している。これら転写ブラシ４４から上述した正極性の電荷が搬送転写ベルト４３を介して用紙に印加され、この電荷による電界により、感光体ドラム４１（４１ａ、４１ｂ、４１ｃ）又は４２に接触中の用紙に、感光体ドラム上の負極性のトナー像が転写される。
　【００２４】
　このように、搬送転写ベルト４３に半導電性の抵抗を持たせ、転写用帯電器を搬送転写ベルトへ接触型の転写ブラシ４４として構成したことにより、高湿時において転写ブラシ４４の基体とアース間の抵抗が低下しても、転写負荷抵抗がそれ以下となるので、転写電流が用紙方向へ流れ、したがって、このような場合でも転写電界が充分に得られるようになっている。即ち、この画像形成装置は、乾燥状態から高湿度状態まで全ての環境下で使用可能となっている。
　【００２５】
　転写ブラシ４４の近傍下流には、除電ブラシ４５（４５ａ、４５ｂ、４５ｃ、４５ｄ）が配設される。除電ブラシ４５は、転写部で搬送転写ベルト４３に付与された電荷を除電する。これにより下流の転写部又は次の印字モードにおける最初の転写部の転写電位を安定化させる。
　【００２６】
　これら転写部の並設方向両端部のこれら転写部よりも夫々外側において、搬送転写ベルト４３の扁平な両端を掛け渡されて（内側より保持して）、搬送転写ベルト４３を駆動するための従動回転ローラ４６（第１の回転ロール）が搬送方向上流側（図の右側）に配設され、また、駆動回転ローラ４７（第２の回転ロール）が搬送方向下流側に配設される。これら従動回転ローラ４６及び駆動回転ローラ４７は、支軸４６−１及び４７−１（ローラ支持手段）によって装置本体のフレーム５２に対して夫々位置固定されている。これら従動回転ローラ４６及び駆動回転ローラ４７は、夫々図の反時計回り方向に回転する。これにより、上述した搬送転写ベルト４３が循環移動して用紙Ｐ（転写材）が従動回転ローラ４６（第１の回転ロール）側から駆動回転ローラ４７（第２の回転ロール）側へ搬送される間にトナー像を転写される。
　【００２７】
　また、搬送転写ベルト４３の下循環部の内周側に当接して、テンションローラ４８（ベルトテンション手段）が駆動回転ローラ４７寄りに配置される。このテンションローラ４８は、鍵型のアーム４９の先端に回転自在に設けられ、アーム４９は、その後端を支点５１によって装置本体のフレーム５２に回動自在に支持されている。アーム４９の中央部と装置本体のフレーム５２間に引きバネ５３が係合しており、引きバネ５３は、アーム４９を図の下方向に付勢している。これによりテンションローラ４８は搬送転写ベルト４３の下循環部を常時下方に引き下げるように（外側に押出すべく）付勢して支持している。これによって、搬送転写ベルト４３の撓みを吸収し、搬送転写ベルト４３全体を所定の張力で従動回転ローラ４６と駆動回転ローラ４７間に張設している。
　【００２８】
　そして、搬送転写ベルト４３の上循環部と下循環部の間に位置し搬送方向に平行に延在して可動アーム５５（揺動部材）が配設される。可動アーム５５は、一方の端部に固定支持ローラ５６を備え、他方の端部には可動支持ローラ５７を備えている。
　【００２９】
　固定支持ローラ５６は、支軸５９により装置本体のフレーム５２に回転自在に位置固定されている。この固定支持ローラ５６は、駆動回転ローラ４７（第２回転ローラ）に最も近い転写ブラシ４４ｄ（転写手段）の従動回転ローラ４６（第１回転ローラ）寄り近傍に設けられている。この固定支持ローラ５６は、駆動回転ローラ４７に最も近い感光体ドラム４２（像担持体）と搬送転写ベルト４３を常時接触させるべく搬送転写ベルト４３の内周面に当接し、これにより、感光体ドラム４２に対して用紙（転写材）を常時同一姿勢で接触させるべく搬送転写ベルト４３を転写可能位置に保持している。
　【００３０】
　可動アーム５５は、その自由端側に上述の可動支持ローラ５７を備えており、可動支持ローラ５７は、従動回転ローラ４６（第１回転ローラ）に最も近い転写ブラシ４４ａ（転写手段）と従動回転ローラ４６との間の位置で搬送転写ベルト４３の内周面に当接して搬送転写ベルト４３を支持している。
　【００３１】
　可動アーム５５は、可動支持ローラ５７側端部が支軸５９を中心にして図の両方向矢印Ｊに示すように上下方向（搬送転写ベルト４３面に交差する方向）に回動（揺動）し、可動支持ローラ５７を介して搬送転写ベルト４３を移動させる。これら可動アーム５５、固定支持ローラ５６、及び可動支持ローラ５７によってベルト移動手段が構成されている。また、可動アーム５５には、上述した４個の転写ブラシ４４のうち転写ブラシ４４ｄを除いた他の３個の転写ブラシ４４ａ、４４ｂ及び４４ｃが一体的に取り付けられており、可動アーム５５の揺動に伴ない上記移動する搬送転写ベルト４３に対応して同方向に同距離だけ移動する。
　【００３２】
　上記可動アーム５５の下部にはカム係合部６１が側方に突設して形成されており、このカム係合部６１に対し、カム６３（制御手段）が滑動自在に当接している。カム６３は、支点６２を中心にして正逆両方向に９０度回動し、可動アーム５５を選択的に移動制御して可動アーム５５の位置決めを行う。
　【００３３】
　同図（ａ），（ｂ）は、カム６３が反時計回り方向へ９０度回動したときの状態を示している。このときカム６３のカム係合部６１への当接点は支点６２から最も遠い点となっており、可動アーム５５はカム６３に押し上げられて上方向に回動し、上位置に定位している。これによって、可動アーム５５は、カム６３による移動制御により、可動支持ローラ５７を介して、常時転写可能位置にある感光体ドラム４２以外の他の感光体ドラム４１に対して、搬送転写ベルト４３を転写可能位置に移動させている。
　【００３４】
　このような搬送転写ベルト４３の移動において、図１（ｂ）に示すように、搬送転写ベルト４３の従動回転ローラ４６と可動支持ローラ５７間の用紙導入部４３´がやや左上向きに傾斜し、可動支持ローラ５７と固定支持ローラ５６間の画像形成部が、固定支持ローラ５６と駆動回転ローラ４７間同様に水平状態に位置移動するのみで、従動回転ローラ４６の位置は不動である。そして、この従動回転ローラ４６に対向し、従動回転ローラ４６を押圧する押えローラ５４（吸着補助ローラ）が配設される。上記の従動回転ローラ４６は、金属ローラで構成されており、一方、押えローラ５４は、導電性のゴムロールで構成されている。
　【００３５】
　この押えローラ５４は、従動回転ローラ４６の中心と押えローラ５４の中心を結ぶ線５８（図の一点鎖線）が搬送転写ベルト４３の用紙導入部４３´の搬送面に対し９０度よりも小さな角度δを形成するように下流側に傾けて配設される。このように、押えローラ５４は、用紙導入部４３´に対し用紙を押え込む方向に傾いて配設されているから、この押えローラ５４と搬送転写ベルト４３とで挟持されて画像形成部に搬入される用紙は、先端が搬送転写ベルト４３に食い込む方向に押出され、搬送転写ベルト４３に良く密着する。尚、押えローラ５４には、詳しくは後述するバイアス電圧が印加される。押えローラ５４は、このバイアス電圧と上記の用紙押え込みとによって用紙の搬送転写ベルト４３への吸着を補助しながら搬送転写ベルト４３と協調して用紙を搬送する。
　【００３６】
　図２は、このような画像形成部を内部に備えた画像形成装置（タンデム型カラー画像形成装置）の側断面図である。この画像形成装置７０の外観は、図６（ａ）に示したものとほぼ同様であり、装置前面（図の右方）に開閉トレー７２を備え、下部に用紙カセット７３を着脱自在に備えている。また、装置の上蓋７４には、その上面に排紙トレー７５が形成されており、そこには上部排紙口７６から排出される画像形成済みの用紙が積載される。上蓋７４の前部側方には図には示していないが、電源スイッチ、表示装置、複数の入力キー等が配設されている。
　【００３７】
　画像形成装置の内部は、同図に示すように、略中央に、上述した画像形成部、すなわち、４個の感光体ドラム４１（４１ａ、４１ｂ、４１ｃ）及び４２、これと対向する搬送転写ベルト４３、これを保持して駆動する従動回転ローラ４６、駆動回転ローラ４７、搬送転写ベルト４３の裏面から感光体ドラム４１及び４２と対向配置された転写ブラシ４４、カム６３によって前方部が上下に揺動する可動アーム５５等が配設されている。そして、４個の感光体ドラム４１及び４２を夫々囲み込むようにして詳しくは後述する４個の画像形成ユニット７７（７７ａ、７７ｂ、７７ｃ、７７ｄ）内の諸装置が配置される。
　【００３８】
　画像形成部の用紙搬送方向上流側（図の右方）には、待機ロール対８１、用紙検出センサ８２が配設され、それより上流は横（装置前方）と下に分岐して、横方向には給紙ローラ８３、捌き部材８４、及び上述の開閉トレー７２が配設されている。また、下方には２枚のガイド板から形成される搬送路８５が配設され、その上流に、上述の用紙カセット７３が多枚数の用紙Ｐを収容してその給紙端を覗かせている。給紙端には上方に給紙コロ８６が配設されている。そして、画像形成部の用紙搬送方向下流には、定着器８７、排紙コロ８８、切り換えレバー８９が設けられる。定着器８７は、断熱性の匡体内に組み付けられた圧接ローラ、発熱ローラ、周面清掃器、オイル塗布ローラ、サーミスタ等から構成され、用紙上に転写されたトナー像を紙面に熱定着させる。切り換えレバー８９は、同図に示すように下の位置にあるときは用紙を上方の排出路９１へ案内し、上に回動しているときは用紙を装置後面に開口する排紙口９２へ案内する。上記の排出路９１の下流は排紙ロール対９３を介して上部排紙口７６に連絡する。
　【００３９】
　上記の画像形成部と給紙カセット７３の間にクリーナボトル９４が着脱自在に配設される。この、クリーナボトル９４の上部にはブレードスクレーパ９５が取り付けられて、その先端が搬送転写ベルト４３の下循環部の表面に当接している。ブレードスクレーパ９５は、搬送転写ベルト４３の表面に残留するトナーを掻き取って搬送転写ベルト４３を清掃し、掻き取った不要のトナーをクリーナボトル９４に貯留する。
　【００４０】
　図３は、上記画像形成ユニット７７（７７ａ、７７ｂ、７７ｃ、７７ｄ）の拡大図である。画像形成ユニット７７（７７ａ、７７ｂ、７７ｃ、７７ｄ）は、内部に収容するトナーの色が異なるだけで、いずれも同一の構成である。同図には、１個の現像ユニット７７の全容を示し、その他は一部を省略して示している。同図に示すように、画像形成ユニット７７は、クリーナ１０１、帯電器１０２、現像器１０３からなる。現像器１０３（トナー像形成手段）は容器を形成しており、その下部開口に現像ローラ１０４を回転可能に保持し、内部にはトナー１０５を収容している。尚、図１（ａ）及び図２に示す駆動回転ローラ４７（第２の回転ローラ）に最も近い感光体ドラム４２（像担持体）に対応する画像形成ユニット７７ｄの現像器１０３には黒トナーが収容され、他の感光体ドラム４１に対応する画像形成ユニット７７ａ、７７ｂ、及び７７ｃには、Ｙ（イエロー）、Ｍ（マゼンタ）及びＣ（シアン）の色トナーが夫々収容されている。
　【００４１】
　これら現像器１０３の内部下方にはトナー攪拌部材１０６が配設され、このトナー攪拌部材１０６は、図の二点鎖線で示すように回転して、トナー１０５を攪拌しながら下方の供給ローラ１０７へトナーを送り込むようになっている。供給ローラ１０７は、スポンジ部材からなり、現像ローラ１０４に圧接し、攪拌部材１０６から送られるトナー１０５を擦り付けるようにして現像ローラ１０４周面に供給する。現像ローラ１０４の回転方向周面には板バネ状のドクターブレード１０８が当接しており、トナーに摩擦電荷を与えて現像ローラ１０４への付着性を増強すると共に、付着するトナー層を一定の厚さに抑制する。
　【００４２】
　上述の画像形成ユニット７７に組み込まれている諸装置は、夫々不図示のギア又は電極を備えており、装置本体に装着されることにより装置本体の駆動機構及び電源電極に係合して駆動される。
　【００４３】
　上記帯電器１０２と現像ローラ１０４との間には、図２に示した上蓋７４に固設された露光ヘッド１０９が、上蓋７４の閉成に伴って図３の二点鎖線２０１で示すように円弧状の軌跡を描いて降下して画像形成位置に定位する。上蓋７４を開成して露光ヘッド１０９を引き上げると、画像形成ユニット７７（７７ａ、７７ｂ、７７ｃ、７７ｄ）を、図の二点鎖線２０２で示す斜め右上に傾斜する直線方向に夫々単独に機外へ取り出すことができる。このように画像形成ユニット７７を取り出したとき保護蓋２０３が時計回り方向に回動して感光体ドラム４２を覆ってこれを保護するようになっている。
　【００４４】
　続いて上記構成の本実施の形態における画像形成装置の画像形成処理の動作を、上述した図１乃至図３を再び参照しながら説明する。先ず、画像形成装置７０（図２参照）に電源が投入され、用紙枚数やその他の指定がキー入力され、さらにフルカラーの印字（画像形成）が指定されると、不図示の駆動機構によりカム６３が駆動されて反時計回り方向に９０度回動し、これにより可動アーム５５が上方に回動し、これにより可動支持ローラ５７が上方に移動して、搬送転写ベルト４３を、４個全ての感光体ドラム４１（４１ａ、４１ｂ、４１ｃ）及び４２に当接させる（図１（ａ）参照）。
　【００４５】
　続いて、給紙コロ８６が用紙カセット７３に載置収容されている用紙Ｐを搬送路８５を介して待機ロール対８１へ給送する。又は、給紙ローラ８３が開閉トレー７２に載置された用紙を待機ロール対８１へ給送する。この給送されてくる用紙Ｐを用紙検出センサ８２が検知する。待機ロール対８１は回転を停止し、用紙Ｐの先端を挟持部に当接させて待機させる。
　【００４６】
　駆動回転ローラ４７が反時計回り方向に回転を開始し、従動回転ローラ４６が従動して同じく反時計回り方向に回転を開始する。これにより搬送転写ベルト４３は、上循環部が４個の感光体ドラム４２及び４１に当接して図１（ａ）及び図３の矢印Ｈで示す右から左方向へ移動する方向へ、全体が循環移動する。
　【００４７】
　これと共に、画像形成ユニット７７ａ、７７ｂ、７７ｃ及び７７ｄが、印字タイミングに合わせて順次駆動され、その駆動に応じて感光体ドラム４１ａ、４１ｂ、４１ｃ及び４２が、順次時計回り方向に回転駆動される。そして、夫々の画像形成ユニット７７（図３参照）に対応する露光ヘッド１０９が順次駆動される。この駆動により、帯電ブラシ１０２は感光体ドラム４１及び４２の周面に一様な電荷を付与し、露光ヘッド１０９は、その感光体ドラム周面に画像信号に応じて露光を行って感光体ドラム周面上に静電潜像を形成する。現像ローラ１０４は、静電潜像の低電位部にトナー１０５を転移させて感光体ドラム周面上にトナー像を形成（現像）する。
　【００４８】
　最上流の感光体ドラム４１ａ周面上のトナー像の先端が、搬送転写ベルト４３との対向点に回転搬送されてくるタイミングで、その対向点に用紙Ｐの印字開始位置が一致するように、待機ロール対８１が回転を開始して用紙Ｐを画像形成部の用紙搬入口へ給送する。押えローラ５４と従動回転ローラ４６は、給送された用紙Ｐを搬送転写ベルト４３と共に挟持し、押えローラ５４は、その下流側への角度δの傾斜配置により用紙Ｐの先端を搬送転写ベルト４３に押し込むように押圧しながら用紙Ｐを搬送する。用紙Ｐの先端は、従動回転ローラ４６と押えローラ５４による挟持により逐次送り出されてその挟持部を離れた後も、搬送転写ベルト４３に安定して吸着されて感光体ドラム４１ａと転写ブラシ４４ａとで形成される最上流の転写部まで搬送される。尚、このとき、従動回転ロール４６と可動支持ロール５７間に張架される搬送転写ベルト４３（用紙導入部４３´）が水平線となす角度はおよそ１５°であり、用紙Ｐの転写部への進入は障害もなく確実に搬送転写ベルト４３に沿って行われる。また、この後は転写ベルト４３と用紙との間で転写部の電界による静電吸着が生じるため以降は搬送転写ベルト４３に沿って順次次の転写部へ送られる。
　【００４９】
　このように搬送されながら用紙Ｐは、各転写ブラシ４４ａ、４４ｂ、４４ｃ及び４４ｄからの電圧印加により各感光体ドラム４１及び４２との間に形成される電界によって、各感光体ドラム４１及び４２のトナー像を紙面上に順次転写される。
　【００５０】
　４色のトナー像を転写された用紙Ｐは、分離爪２０５（図２参照）によって搬送転写ベルト４３から分離され、定着器８７に搬入される。用紙Ｐは、定着器８７で上記トナー像を熱定着された後、排紙コロ８８によって、後部排紙口９２からトナー像を上にして、又は上部排紙口７６からトナー像を下にして機外に排出される。
　【００５１】
　次に、黒印字（黒一色の画像形成処理）について説明する。
　図４（ａ）は、黒印字を行う場合の画像形成部の状態を示す図であり、同図（ｂ）は、その用紙搬入部の拡大図である。上記の図４（ａ）は、カム６３が図１（ａ）の位置から時計回り方向へ９０度回動した状態を示している。このときカム６３のカム係合部６１への当接点は支点６２から最も近い点となっており、可動アーム５５は下方に回動して下位置に定位している。これによって、可動アーム５５は、カム６３による移動制御により、感光体ドラム４２のみを除き、他の感光体ドラム４１（４１ａ、４１ｂ、４１ｃ）に対して搬送ベルト４３を転写不能位置に移動させる。すなわち上記可動アーム５５の回動により、可動支持ローラ５７は、図の矢印Ｋで示すように下方に移動し、搬送ベルト４３が固定支持ローラ５６と駆動回転ローラ４６とで直接支持されるように、搬送ベルト４３下面との間に間隙Ｍを形成して搬送ベルト４３から離隔する。尚、この場合も従動回転ローラ４６の位置は不動である。
　【００５２】
　このように、搬送ベルト４３は、一方では駆動回転ローラ４７と固定支持ローラ５６間でフルカラー印字の場合と全く同じ状態で感光体ドラム４２との当接状態を維持し、他方では固定支持ローラ５６と従動回転ローラ４６間で、残る他の感光体ドラム４１（４１ａ、４１ｂ、４１ｃ）との当接から離隔する。
　【００５３】
　続く給紙コロ８６又は給紙ローラ８３による用紙Ｐの給送、用紙検出センサ８２による用紙の検知、待機ロール対８１による用紙Ｐの待機、及び従動回転ローラ４６と駆動回転ローラ４７による搬送ベルト４３の循環移動は、上述したフルカラー印字の場合と同様である。
　【００５４】
　そして、これと共に、画像形成ユニット７７ｄが駆動され、他の画像形成ユニット７７ａ、７７ｂ及び７７ｃは休止する。画像形成ユニット７７ｄに対応する感光体ドラム４２の回転駆動、帯電ブラシ１０２による感光体ドラム４２への電荷付与、露光ヘッド１０９による感光体ドラム周面への静電潜像の形成、及び現像ローラ１０４による静電潜像のトナー像化は、上述したフルカラー印字の場合と同様である。
　【００５５】
　感光体ドラム４２周面上の黒トナー像の先端が、搬送ベルト４３との対向点に回転搬送されてくるタイミングで、その対向点に用紙Ｐの印字開始位置が一致するように、待機ロール対８１が回転を開始して用紙Ｐを画像形成部の用紙搬入口へ給送する。
　【００５６】
　この場合も、押えローラ５４と従動回転ローラ４６は、給送された用紙Ｐを搬送転写ベルト４３と共に挟持し、押えローラ５４は、その下流側へ９０度を超えない角度δで傾斜して用紙Ｐの先端を搬送転写ベルト４３に押しつけるようにしながら用紙Ｐを搬送する。
　【００５７】
　これに続く、搬送ベルト４３による用紙Ｐの搬送、転写ブラシ４４ｄによる黒トナー像の紙面上への転写、その後の分離爪２０５による用紙Ｐの搬送ベルト４３からの分離、定着器８７によるトナー像の熱定着、排紙コロ８８による後部排紙口９２又は上部排紙口７６からの用紙Ｐの排出は、上述したフルカラー印字の場合と同様である。
　【００５８】
　上記搬送ベルト４３による用紙Ｐの搬送において、可動支持ローラ５７が搬送ベルト４３から離隔していることにより、搬送ベルト４３は、上記固定支持ローラ５６と従動回転ローラ４６間で屈曲の無い平面を形成する。これにより、用紙Ｐは、従動回転ローラ４６から固定支持ローラ５６までの比較的長い距離を搬送ベルト４３上に安定して保持されて搬送される。
　【００５９】
　また、上述のごとく、フルカラー印字の場合も黒印字の場合も、搬送ベルト４３の固定支持ローラ５６と従動回転ローラ４６間の部分が上下に揺動するのみであり、黒印字を行う転写部に対する搬送ベルト４３の姿勢は、駆動回転ローラ４７と固定支持ローラ５６双方の位置が不動であるため一定である。また、画像形成部への用紙搬入口は、従動回転ローラ４６と押えローラ５４の位置が不動であるため一定である。そして、画像形成部から排出されて定着器８７に搬入される用紙Ｐの姿勢は、感光体ドラム４２、駆動回転ローラ４７及び固定支持ローラ５６の位置が不動であるため一定である。
　【００６０】
　このように、黒印字を行う転写部に対する搬送ベルト４３の姿勢が常に一定であるため、フルカラー印字の場合も黒印字の場合も、黒トナーを印字する転写部における転写タイミング、転写ブラシ４４ｄの電圧制御等を変更する必要がなく、いずれの場合も同一の制御方法で処理を行うことができる。また、用紙カセットや待機ロール対等の用紙給送部に対する画像形成部の用紙搬入口が常に一定であるため、フルカラー印字の場合も黒印字の場合も、用紙カセットの位置や待機ロール対の位置を、従来の如く上下に変動する用紙搬入口の位置に対応して変動させる等の必要がなく、全体として簡単な機構で構成できる。また、画像形成部から排出される用紙Ｐの姿勢が常に一定であるため、フルカラー印字の場合も黒印字の場合も、定着器へ搬送する案内路を用紙の排出姿勢に対応して変化させる等の必要がなく、これによっても全体として簡単な機構で構成できる。
　【００６１】
　尚、上記実施の形態では、黒トナーの画像形成ユニット７７ｄ、即ち黒トナー像を担持する感光体ドラム４２を、画像形成部の搬送路の最下流側に配置しているが、配置はこれに限ることなく、感光体ドラム４２を搬送路の最上流側に配置し、これに応じて、固定支持ローラ５６を搬送路上流側に、可動支持ローラ５７を搬送路下流側に配置し、可動アーム５５もこれらに応じて配置し、この可動アームを上述の実施の形態とは逆に図の右側を固定支軸として左側を上下に揺動させるように構成してもよい。
　【００６２】
　また、押えローラ５４を位置固定ロールとしているが、黒印字とフルカラー印字において搬送転写ベルト４３に対する傾斜角度を各々の印字モードに最適な用紙送り方向となるように変えるようにしてもよい。例えば黒印字のときは上述した実施の形態における場合と同様の位置とし、フルカラー印字のときは、搬送転写ベルトの用紙導入部がやや斜め上向きとなるため搬送転写ベルトに対するくい込み角度をやや浅くするようにしてもよい。
　【００６３】
　ところで、搬送転写ベルト４３は、用紙Ｐに働く僅かの負荷変動等に対してこれらから影響を受けないように、用紙Ｐを静電気的に十分吸着して搬送しなければならない。このように用紙Ｐを搬送転写ベルト４３に静電吸着し得る搬送転写ベルト４３の体積固有抵抗として、本実施の形態では前述したように１０１１Ω・ｃｍ以上の抵抗性向を持たせている。そして、用紙Ｐが搬送転写ベルト４３に吸着されやすいように、押えローラ５４を下流側に傾けた姿勢で配設するようにしている。
　【００６４】
　フルカラー印字では、用紙Ｐが最初に搬送されるＹ（イエロー）の転写部までは搬送距離が短いから搬送姿勢に外力が加わって用紙Ｐの搬送姿勢が崩れる虞がないこと、及びここで転写用の電荷を受けて、用紙Ｐは搬送転写ベルト４３に十分吸着することにより、そもそも用紙Ｐの搬送転写ベルト４３への吸着は最初のＹ（イエロー）の転写部まで正しく搬送できればよい。したがって、フルカラー印字の場合は上述した押えローラ５４による用紙を搬送転写ベルト面へ押し付て吸着を助成する姿勢誘導を行いさえすれば、それ以上特に用紙の搬送姿勢を制御する必要はない。
　【００６５】
　しかし、本実施の形態では、黒印字も行うように２通りの印字モードを有しいる。黒印字の場合、図４（ａ），（ｂ）に示すように、用紙Ｐが押えローラ５４と従動回転ローラ４６による搬入部から黒トナー像の形成を実行する転写部までは、比較的長い距離を搬送されるから用紙Ｐの搬送姿勢が不安定になる虞がないとはいい難い。本実施の形態では、この黒印字の場合、さらに押えローラ５４に、吸着バイアス電圧をかけて用紙を搬送転写ベルトに積極的に静電吸着させるようにする。
　【００６６】
　図５は、そのような、用紙に積極的に静電吸着させる用紙搬入部の構成を模式的に示す図である。同図には図１乃至図４に示した構成と同一の部分には図１乃至図４と同一の番号を付与して示している。同図に示す従動回転ローラ４６は、接地した金属ローラからなり、一方、押えローラ５４は、カーボンブラックにより抵抗調整されたゴムローラからなる。この押えローラ５４には、例えば、軸とローラ表面に５００Ｖの電圧を印加したとき１０６Ωの抵抗を示すＣＲゴムを使用する。この押えローラ５４に、転写ブラシ４４（図１（ａ）の４４ａ、４４ｂ、４４ｃ及び４４ｄ参照）に印加する電圧Ｖｔと同極性である正極性の電圧として例えば＋２．０ＫＶの電圧をバイアス電源２０６から印加する。これによって、用紙Ｐを搬送転写ベルト４３に積極的に静電吸着することが出来る。そして、比較的長い搬送路の下流側にある黒印字の転写部まで位置ずれを起こすことなく用紙Ｐを搬送することができる。
　【００６７】
　ここで押えローラ５４に印加するバイアス電圧の極性を、転写ブラシ４４に印加する電圧の極性と同じ極性としている理由を説明する。用紙Ｐの先端部が最初の転写位置（感光体ドラム４１ａと転写ブラシ４４ａとの対向点）に到達した段階で、用紙Ｐが押えローラ５４と従動回転ローラ４６に挟持された状態を考えたとき、通常環境あるいは低湿環境においては用紙Ｐは十分大きな抵抗を持っている。しかし、湿度が高くなった状態では吸湿により抵抗が低下するから、加わる電界が大きくなると電流を流す様になる。従って、押えローラ５４に印加するバイアス電圧を、もし転写ブラシ４４と逆極性の電圧とした場合には、転写位置から押えローラによる吸着位置までの電位差の絶対値は、それぞれに印加した電圧の絶対値の和となるため、転写用電源で転写ブラシ４４に流した電流が用紙Ｐを通してバイアス電源側へ流失してしまい、転写に必要な電界が形成されず、このため感光体ドラム上に形成されているトナー像を用紙に転写することが出来なくなるという問題が発生する。
　【００６８】
　これを防止するために、本実施の形態においては、押えローラ５４に印加するバイアス電圧を転写ブラシ４４に印加する転写電圧と同極性としている。さらに好ましくは、バイアス電圧を転写用電源の電圧Ｖｔとほぼ同電圧とすれば、電位差が生じることはなく、従って電流の流失、漏洩等は生じない。従って、上述したように用紙の搬送姿勢にずれを生ずることなく吸着搬送して十分な転写が得られることになる。
　【００６９】
　このように、搬送転写ベルトに１０１１〜１０１４Ω・ｃｍの体積固有抵抗を持たせるとともに、転写材（用紙）吸着手段として、接地された導電性ローラ（駆動回転ローラ）と、電圧を印加された導電性ローラ（押えローラ）との一対のローラで構成し、搬送転写ベルトの転写材吸着面側に転写ブラシと同極性の電圧を印加することにより、転写材の吸着搬送を、小さな電源と簡単な構成で実現出来る様になり、またオゾンの発生もなく、乾燥から高湿まで環境の変化に対しても十分な転写が得られるようになる。
　【００７０】
　そして、フルカラー印字に際しては、前述したごとく、吸着をとくに助成する必要がないから、図５に示すように、押えローラ５４とバイアス電源２０６間にスイッチ２０７を設けて、このスイッチ２０７の入力端を図の両方向矢印Ｑに示すようにバイアス電源２０６と接地とに切り換えるように構成し、フルカラー印字のときはスイッチ２０７を接地に切り換え、黒印字のときのみバイアス電源２０６側に切り換えるようにする。このようにすれば、常時バイアス電圧を印加する構成とは異なり、電源の負荷が増大することもなく、省電力型で常に安定した用紙吸着を行う搬送機構を構築することができる。
　【００７１】
　【発明の効果】
　以上説明したように、本発明によれば、搬送転写ベルトに対して押えローラがなす角度を用紙がベルトに食い込む方向に設定したので、黒印字のときもフルカラー印字のときも必ず搬送転写ベルトに沿って用紙が搬送され、したがって、用紙の搬送姿勢が常に安定して良好な画像が得られると共に用紙ジャム等の不具合の発生頻度が低減して画像形成の作業能率が向上する。また、搬送転写ベルトに１０１１〜１０１４Ω・ｃｍの体積固有抵抗を持たせると共に用紙搬入部における用紙吸着に転写ブラシと同極性の電圧を印加するので、転写電流が用紙を介してバイアス電源側に流失することがなく、このため、小電流で転写が容易となり、したがって、小型でオゾン発生のない環境保全に適合した記録装置を実現することが可能となる。
【図面の簡単な説明】
　【図１】
　（ａ）は一実施の形態における画像形成装置の主要部（画像形成部）の側面図でありフルカラー印字（記録）を行う場合の図、（ｂ）は用紙搬入部の状態を示す拡大図である。
　【図２】
　図１の画像形成部を内部に備えた画像形成装置（タンデム型カラー画像形成装置）の側断面図である。
　【図３】
　図２の画像形成ユニットの拡大図である。
　【図４】
　（ａ），（ｂ）は図１の画像形成部の黒印字を行う場合の状態を示す図である。
　【図５】
　図１の画像形成部における用紙に積極的に静電吸着させる用紙搬入部の更なる構成の例を示す図である。
　【図６】
　（ａ）はタンデム型カラー画像形成装置の一例を示す外観斜視図、（ｂ）はその側断面図である。
　【図７】
　（ａ），（ｂ）は従来のタンデム型の画像形成部の構成を模式的に示す図である。
　【図８】
　（ａ），（ｂ）は従来のタンデム型画像形成部の押えローラの構成を模式的に示す図である。
　【符号の説明】
　１　タンデム型カラー画像形成装置
　２　開閉トレー
　２ｂ　補助トレー
　３　用紙カセット
　４　上蓋
　５　排紙トレー
　６　上部排紙口
　７　電源スイッチ
　８　液晶表示装置
　９　入力キー
　Ｐ　用紙
　１１　給紙コロ
　１２　給紙ローラ
　１３　待機ロール対
　１４　搬送ベルト
　１５ａ、１５ｂ　回転ローラ
　１６（１６−１、１６−２、１６−３、１６−４）　現像ユニット
　１７　感光体ドラム
　１８　定着器
　１９　排紙コロ
　２１　後部排紙口
　２２　排紙ローラ
　２３、２４　回転ローラ
　２５　付勢ローラ
　２６　搬送ベルト
　２７ａ、２７ｂ、２７ｃ、２７ｄ　感光体ドラム
　２８　容器
　２９　給紙ローラ
　３１　待機ロール対
　３２　用紙押さえローラ
　３３ａ、３３ｂ、３３ｃ、３３ｄ　コロナ帯電器
　３４　定着部
　３５　ローラの中心を結ぶ線
　３６　水平線
　３７　バイアス電源
　３８　ローラの中心を結ぶ線に直角な線
　３９　用紙方向
　４１ａ、４１ｂ、４１ｃ、４２　感光体ドラム（像担持体）
　４３　搬送転写ベルト
　４３´　搬送転写ベルトの用紙導入部
　４４（４４ａ、４４ｂ、４４ｃ、４４ｄ）　転写ブラシ
　４５（４５ａ、４５ｂ、４５ｃ、４５ｄ）　除電ブラシ
　４６　従動回転ローラ（第１の回転ローラ）
　４７　駆動回転ローラ（第２の回転ローラ）
　４８　テンションローラ
　４９　鍵型のアーム
　５１　支点
　５２　本体装置のフレーム
　５３　引きバネ
　５４　押えローラ
　５５　可動アーム（揺動部材）
　５６　固定支持ローラ
　５７　可動支持ローラ
　５８　ローラの中心線
　５９　支軸
　６１　カム係合部
　６２　支点
　６３　カム
　７０　画像形成装置
　７２　開閉トレー
　７３　用紙カセット
　７４　上蓋
　７５　排紙トレー
　７６　上部排紙口
　７７（７７ａ、７７ｂ、７７ｃ、７７ｄ）　画像形成ユニット
　８１　待機ロール対
　８２　用紙検出センサ
　８３　給紙ローラ
　８４　捌き部材
　８５　搬送路
　８６　給紙コロ
　８７　定着器
　８８　排紙コロ
　８９　切り換えレバー
　９１　排出路
　９２　後部排紙口
　９３　排紙ロール対
　９４　クリーナボトル
　９５　ブレードスクレーパ
　１０１　クリーナ
　１０２　帯電器
　１０３　現像器
　１０３　現像器
　１０４　現像ローラ
　１０５　トナー
　１０６　トナー攪拌部材
　１０７　供給ローラ
　１０８　ドクターブレード
　１０９　露光ヘッド
　２０３　保護蓋
　２０５　分離爪
　２０６　バイアス電源
　２０７　スイッチ